(57)【要約】      （修正有）【課題】ピン部の突起から身体の損傷を防ぐともにピンの固定を容易にする為にクリップ機能を持たせたワッシャからなるストッパーの提供。【解決手段】ストッパーで有るピンの頭部に揺動自在な復元性を有する可動可能の羽状板を取付け身体の接触の際に羽状板が揺動自在に可動する事により身体の損傷を防ぎ、その羽状板の周囲縁部の厚みを持たせる事で抜き刺しの際の持ち部の滑り止めとしての機能を持たせた。ピンの保持に使用するワッシャは縁部より変形し復元性を有する可動可能な羽状板を取付けて身体接触の際に前記したピン同様に変形可動し身体の損傷を防ぎ、切り込みを設ける事でピンに取付けする際の両側の側方へと開き容易にそれの固定が出来る。【選択図】図２
0003119070.tif 000002
【実用新案登録請求の範囲】
【請求項１】
ピンの頭部に抜け止めの傘部Ｐ１４に垂直方向に突起した平板形の傘部との接合面方向に対して左右揺動自在に可動し復元性を有する羽Ｐ１０を付け抜き刺しする際の持ち部としたピンと、それ保持する皿型ワッシャの縁部に沿って突出するピンを覆う様に角を取った変形可動し復元性を有する羽Ｗ２０を周囲に取り付け、その羽の前後に開口部Ｗ２４を設けピンに取付けの際に左右開き容易に取り付けを可能にしたワッシャとからなるストッパー。
【請求項２】
請求項１記載におけるピンの突起した揺動自在に可動し復元性を有する羽Ｐ１０の縁部の鋭角を無くし羽の縁部端Ｐ１３のみ厚くする事により肉厚を変え抜き差し際の滑り止め効果を持たせたピン。
【請求項３】
請求項１記載におけるピンを保持するワッシャであって、その縁部に沿って変形可動し復元性を有する羽Ｗ２０を取り付けピンの突起部の保護と持ち部機能を有し、開口部Ｗ２４設けた事でクリップ機能を有しピンの保持固定を容易にした事を特徴とした異型のワッシャ。
【考案の詳細な説明】
【技術分野】
【０００１】複数の板を重ねてそれらを固定するストッパーに関するものである。
【背景技術】
【０００２】複数の板を固定するのに従来の方法としてはピンとワッシャの等からなるストッパーにて行うが、固定物表面より突起しそれは衣類を始め身体一部に損傷を与える事となり、その解決方法として円形状の頭部を持つピンや同形状のナットは既存し、固定する事においても容易に脱着出来るクリップ機能持つワッシャも既存しているが突起部を保護し衣類や身体の損傷を防ぐ構造ではない。
【考案の開示】
【考案が解決しようとする課題】
【０００３】構造上及び材質的に賢固なもので有る既存の技術は、接触時は衣類への損傷は無くとも身体への損傷をなくす事が出来ていない。
【課題を解決するための手段】
【０００４】上記課題を解決する本願のストッパーのピン部は傘部に持部とした突起に揺動自在に可動する羽状構造を取り付けする事でその羽の揺動自在な可動により身体への損傷を軽減するものを取付けたピン部と、それを保持するクリップ機能を有した突出するピン部の軸部を保護した周囲に覆う様に取付けた変形可動し復元性を有するワッシャ部の二つより構成されている。【０００５】ピン部の羽は揺動自在に可動可能図２（ｃ）とし突起の形状は有るが身体接触時は揺動自在に可動し尚且つ方向によっては突起の羽を倒す事で突起を少なくする事を特徴としている。【０００４】ワッシャ部に変形し復元性の有する可動可能な羽Ｗ２０を取り付け、ピンの軸部Ｐ１５の突起部の保護をする事で身体接触時に可動可能な羽が変形し身体損傷を軽減する。【０００６】ワッシャ部の中央部に開口部Ｗ２４を付ける事でワッシャが両側の側方に開く機能図４（ｈ）を設ける事でクリップ式となり容易にピンへの取り付けが可能となる。
【考案の効果】
【０００７】本願の効果は傘部に突起するピンの持ち部に揺動自在に可動する持部となる羽を設置する事とワッシャに変形し復元性を有する可動可能なピンの保護羽を設置する事により身体の接触時に可動部の変形し可動する事で身体損傷を軽減し、クリップ式となるワッシャを容易にピンへ取り付ける事が出来る。
【考案を実施するための最良の形態】
【０００８】ピンの材質をポリプロピレン等の合成樹脂などの弾性素材を用いる事で持ち部の羽の揺動の可動性と復元性が増し、ワッシャについても同様の材質を用いる事で変形し復元性の有する可動可能なピンを保護する保護羽の機能性が増し身体への損傷が大幅に軽減する事が出来る。
【実施例】
【０００９】以下、本実施例のストッパーについて図面により説明する。図１は本実施例におけるピンの（ａ）正面図、（ｂ）側面図および（ｃ）傘部の作用図であり、図２は本実施例におけるピンを示す説明斜図である。図３は本実施例におけるワッシャの（ｄ）上面図、（ｅ）側面図および（ｆ）斜視図であり、図４は本実施例におけるワッシャの（ｇ）斜視説明図、（ｈ）作用図およびピンの斜視図である。図５は本実施例におけるストッパーの作用図である。【００１０】本実施例のピンは、円盤形状の傘部Ｐ１４と、傘部Ｐ１４の一面側の中央付近から突出させた軸部Ｐ１５とから構成しており、ポリプロピレン等の合成樹脂などの弾性素材により形成している。【００１１】ピンＰの軸部Ｐ１５となる部分は、軸線方向に沿って拡径させた止部Ｐ１１と縮径した溝部Ｐ１２を所定間隔あるいは適宜間隔で交互に複数個配置する事で構成している。【００１２】傘部Ｐ１４の他面側には、傘部Ｐ１４の直径程度の幅を有する矩形板状の持部Ｐ１０を傘部Ｐ１４に対して揺動自在な可動となるように立設している。また、持部Ｐ１０の先端側の周囲には持ち部としての縁部Ｐ１３を、厚みを増して突起状に形成しており、ピンＰを引き抜く際の滑り止め効果を持たせてある。【００１３】ピンを対象物に固定する為の止め具として用いるワッシャＷは、溝部Ｐ１２の直径より若干狭い幅の開口部Ｗ２４を有する開環板状としている。ワッシャＷの一面側には、矩形板状の羽Ｗ２０をワッシャＷ縁部の形状に沿うように湾曲させて立設している。羽Ｗ２０は、ワッシャＷとの接合箇所と羽Ｗ２０の先端部の厚さを変える事で可動（たわみ）性を有している。なお、本実施例ではワッシャＷと羽Ｗ２０は一体成形している。【００１４】ワッシャＷの内周側における開口部Ｗ２４の対向位置には、接合部Ｗ２３に切れ目を入れており、開口部Ｗ２４の開口幅の拡大を容易にしている。【００１５】  ワッシャをピンの軸部Ｐ１５の段差の止部Ｐ１２と溝部Ｐ１１に設置時に所定の位置に固定される様に止部Ｗ２１と溝部Ｗ２２を設け、ピン及びワッシャの止部Ｐ１１、Ｗ２１と溝部Ｐ１２、Ｗ２２それらは各同径とし、開口部Ｗ２４はそれらの径より小さくする事でワッシャがピンの軸部より抜け出る事を防止している。【００１６】ワッシャは左右に開く様に復元性を有した開口部Ｗ２４を設けて有るので、ピンに取り付けする際には軸部Ｐ１５の先端部より入れる必要性を無くし、取付け位置近くで開口部Ｗ２４を開き、側方からの差込みでの取り付け及び固定を容易に可能としている。
ワッシャＷによりピンＰを固定した状態では、ワッシャＷの羽Ｗ２０がピンＰの軸部Ｐ１５の外周を覆うように位置することとなる。
【産業上の利用可能性】
【００１７】本願は複数の軽量板状を張り合わせて固定するストッパーのピンの取り付けを容易にする事とそのピンの突起に対して保護機能を持たせそれを保持するワッシャで有るので、人が存在する場所で突起より身体の損傷を防ぐ事が出来るので人が存在する場所での使用が可能となる。
【図面の簡単な説明】
【００１８】
【図１】本実施例におけるピンの（ａ）正面図、（ｂ）側面図および（ｃ）傘部の作用図である。
【図２】本実施例におけるピンを示す説明斜図である。
【図３】本実施例におけるワッシャの（ｄ）上面図、（ｅ）側面図および（ｆ）斜視図である。
【図４】本実施例におけるワッシャの（ｇ）斜視説明図、（ｈ）作用図およびピンの斜視図である。
【図５】本実施例におけるストッパーの作用図である。
【符号の説明】
【００１９】    Ｐ  ピン
Ｐ１０  持部
Ｐ１１  止部
Ｐ１２  溝部
Ｐ１３  縁部
Ｐ１４  傘部
Ｐ１５  軸部
Ｗ  ワッシャ
Ｗ２０  羽
Ｗ２１  止部
Ｗ２２  溝部
Ｗ２３  接合部
Ｗ２４  開口部
【図１】
0003119070.tif 000003
【図２】
0003119070.tif 000004
【図３】
0003119070.tif 000005
【図４】
0003119070.tif 000006
【図５】
0003119070.tif 000007